(57)【要約】      （修正有）【課題】誰であっても、破断或いは損傷することなく、また、浮遊してしまうこともなく、金箔の細片を所望の場所まで持っていき、付着させる作業を容易に行えるようにした金箔のパッケージを提供する。【解決手段】折り線２を介して表面板３と、底板４と、抑え板６とを連続形成したバッケージ本体１の、抑え板の取り出し用窓孔５に臨ませて金箔の細片を静電気により付着したプラスチックフィルムを合紙を介して適数組、抑え板に載置し、抑え板の両側に延設した抑え片７をプラスチックフィルムの上方に折り返すと共に底板の両側に延設した掛止片９を内方に折り返し抑え片をプラスチックフィルムの上方に折り返す。抑え板の下方に延設した挿入片８を屈曲して掛止片の内方に差し込み、表面板を折り返して抑え板の取り出し用窓孔を被覆する。【選択図】図１
2007302342.tif 000002
【特許請求の範囲】
【請求項１】
金箔を適宜分割してなる金箔細片を静電気により付着した可撓体のプラスチックフィルムを任意数備えた金箔パッケージ。
【請求項２】
金箔を適宜分割してなる金箔細片を静電気により付着した弾性変形するプラスチック板を任意組数備えた金箔パッケージ。
【請求項３】
可撓体のプラスチックフィルム若しくは弾性変形するプラスチック板が不透明又は半透明である請求項１又は請求項２に記載の金箔パッケージ。
【請求項４】
可撓体のプラスチックフィルム若しくは弾性変形するプラスチック板が静電気により付着する金箔細片の上下方向のいずれか一方若しくは双方、又は（及び）左右方向のいずれか一方若しくは双方より張り出している請求項１から請求項３のいずれかに記載の金箔パッケージ。
【請求項５】
金箔細片を静電気により付着したプラスチックフィルム若しくはプラスチック板を任意数備えると共に該プラスチックフィルム若しくはプラスチック板を止着する保持部を有する取り出し片を備えた請求項１から請求項４のいずれかに記載の金箔パッケージ。
【請求項６】
取り出し片の保持部がプラスチックフィルム若しくはプラスチック板を疑似接着して止着するものである請求項１から請求項５のいずれかに記載の金箔パッケージ。
【請求項７】
取り出し片がプラスチックフィルム若しくはプラスチック板の屈曲その他の変形による金箔細片の分離を防止することのできるものである請求項１から請求項６のいずれかに記載の金箔パッケージ。
【請求項８】
金箔細片を静電気により付着したプラスチックフィルム若しくはプラスチック板を複数枚、合紙を介して積み重ねた請求項１から請求項７のいずれかに記載の金箔パッケージ。
【請求項９】
金箔細片を静電気により付着したプラスチックフィルム若しくはプラスチック板を取り出し用窓孔から取り出すようにした請求項１から請求項８のいずれかに記載の金箔パッケージ。
【請求項１０】
金箔細片が二四金箔、金箔五毛、金箔一号色乃至金箔四号色、金９４．４４％と銀５．５６％のひぬき箔、金９９．００％とプラチナ１．００％の合金箔のいずれからか製作されている請求項１から請求項９のいずれかに記載の金箔パッケージ。
【請求項１１】
表面板と、底板と、取り出し用窓孔を穿設した抑え板とを折り線を介して連続形成したパッケージ本体の抑え板の取り出し用窓孔に臨ませて金箔細片を静電気により付着した可撓体のプラスチックフィルム若しくはプラスチック板を適数組抑え板に載置し、抑え板の両側に延設した抑え片を金箔と前記プラスチックフィルム若しくはプラスチック板の上方に折り返すと共に底板の両側に延設した掛止片を内方に折り返して抑え板の下方に延設した挿入片を屈曲して前記掛止片の内方に差し込み、表面板を折り返して抑え板の取り出し用窓孔を被覆した請求項１から請求項１０のいずれかに記載の金箔パッケージ。
【請求項１２】
表面板と、底板と、取り出し用窓孔を穿設した抑え板とを折り線を介して連続形成したパッケージ本体の抑え板の取り出し用窓孔に臨ませて金箔細片を静電気により付着した可撓体のプラスチックフィルム若しくはプラスチック板を適数組抑え板に載置し、抑え板の両側に延設した抑え片を金箔とプラスチックフィルム若しくはプラスチック板の上方に折り返すと共に、底板の両側に延設した掛止片を内方に折り返し、抑え板の下方に延設した挿入片を屈曲して前記掛止片の内方に差し込み、抑え板の取り出し用窓孔に前記プラスチックフィルム若しくはプラスチック板を止着させる保持部を有する取り出し片を挿入係止し、表面板を折り返して抑え板の取り出し用窓孔を被覆した請求項１から請求項１０のいずれかに記載の金箔パッケージ。
【発明の詳細な説明】
【技術分野】
【０００１】
本発明は、金箔細片を破断或いは損傷することなく所望の付着面に置くことができるようにした金箔のパッケージに関する。
【背景技術】
【０００２】
従来、特開昭６３−２２５６９９号公報に記載されている通り、金箔を皮膚表面に擦り込むと金の微粒子が生体内に取り込まれ、生体における新陳代謝およびエネルギー変換を促進し、皮膚の健康を保持しうるとされている。
【０００３】
ところで、金箔の規格寸法は、８．５ｃｍ角、１０．０ｃｍ角、１０．９ｃｍ角、１１．５ｃｍ角、１２．７ｃｍ角、１５．８ｃｍ角、２１．８ｃｍ角であるが、金箔を皮膚表面に擦り込むためにはこれらを更に分割し細分化すると共に金箔を所定の皮膚表面に付着させる作業が必要となる。
【０００４】
金箔を分割し細分化することは熟練者には容易なことであり、細分化した金箔、即ち、金箔細片の提供は容易である。しかし、金箔は０．１〜０．３μｍと極めて薄く、かつ、極めて軽いものであるから、金箔細片をたとえ僅かな距離であっても、所定の皮膚表面まで持っていくまでに破断或いは損傷しやすいだけでなく、室内の僅かな空気の流れによっても浮遊してしまうから、所定の皮膚表面まで持っていく作業は勿論、金箔を所定の皮膚表面に付着させる作業も、相当の慣れが必要で、素人では難しかった。このため、従来は、金箔を使用する場合には石鹸等に金箔を封入し、石鹸成分の溶解により露出した金箔が皮膚表面に当たるようにする他はなかった。しかし、これでは、所定の皮膚表面に金箔が当たる保証はない。このため、金を皮膚表面に擦り込むために、一般的には、金コロイド液を使用していた。
【０００５】
また、近時、ブローチ等を造形してその表面に金箔細片を付着させ、固定させ、金箔で加飾したアクセサリーや工芸品を造る趣味が次第に普及しつつあるが、ブローチ等の所望の表面に金箔細片を付着させる作業も、同様に、相当の慣れが必要で、素人では難しく、アクセサリーや工芸品を金箔で加飾する趣味普及の制約となっている。
【特許文献１】特開昭６３−２２５６９９号公報（特許請求の範囲（１）、技術の背景および従来技術の説明）
【発明の開示】
【発明が解決しようとする課題】
【０００６】
そこで、本発明は、誰であっても、破断或いは損傷することなく、また、浮遊してしまうこともなく、金箔を細分化した金箔細片を所望の場所まで持っていき、さらに、金箔細片を所望の場所に付着させる作業を容易に行える金箔のパッケージを提供することを目的とする。
【０００７】
また、本発明は、任意枚数の金箔細片を破断或いは損傷することなしに収納することができると共に収納した金箔細片を一枚一枚、破断或いは損傷することなしに取り出して所望の場所まで確実に持っていき、所望の場所に付着させることができるようにした金箔のパッケージを提供することを目的とする。
【０００８】
また、本発明は、金箔細片を外気に直接さらさずに所望枚数収納することができ、したがって、金箔細片に塵や埃が付着することもなく、美麗に金箔を収納保存することができる金箔のパッケージを提供することを目的とする。
【０００９】
また、本発明は、任意枚数の金箔細片を簡単な折り畳み作業で収納することができ、かつ、構造が簡易な金箔のパッケージを提供することを目的とする。
【課題を解決するための手段】
【００１０】
上記の目的を達成するための本発明の構成は、金箔を所望数に分割してなる金箔細片を静電気により付着した可撓体のプラスチックフィルムを任意数備えるようにしたものである。
【００１１】
また、本発明の別の構成は、金箔細片を静電気により付着する可撓体のプラスチックフィルムに代えて弾性変形するプラスチック板を用いたものである。この場合、肌等の付着面へのフィット性を高めるために、弾性計数のできるだけ大きいプラスチック板を用いることが望ましい。
【００１２】
また、本発明の別の構成は、金箔細片の付着側を容易に識別することができるように、プラスチックフィルム若しくはプラスチック板が不透明又は半透明としたものである。
【００１３】
また、本発明の別の構成は、可撓体のプラスチックフィルム若しくは弾性変形するプラスチック板への金箔細片の静電気による付着力を大きなものとすることにより、肌等の付着面への持ち運びの利便性を向上すると共に金箔細片の付着作業の利便性を向上するために、可撓体のプラスチックフィルム若しくは弾性変形するプラスチック板が静電気により付着する金箔細片の上下方向のいずれか一方若しくは双方、又は（及び）左右方向のいずれか一方若しくは双方より張り出すようにしたものである。
【００１４】
また、本発明の別の構成は、金箔細片を静電気により付着したプラスチックフィルム若しくはプラスチック板を任意数備えると共に該プラスチックフィルム若しくはプラスチック板を止着する保持部を有する取り出し片を備えるようにしたものである。
【００１５】
また、本発明の別の構成は、取り出し片の上記保持部がプラスチックフィルム若しくはプラスチック板を疑似接着して止着するものとしたものである。
【００１６】
また、本発明の別の構成は、取り出し片がプラスチックフィルム若しくはプラスチック板の屈曲その他の変形による金箔細片の破損や剥離を防止することのできるものとしたものである。
【００１７】
また、本発明の別の構成は、金箔細片を静電気により付着したプラスチックフィルム若しくはプラスチック板を複数枚、合紙を介して積み重ねたものである。
【００１８】
また、本発明の別の構成は、パッケージに取り出し用窓孔を設けて、金箔細片を静電気により付着したプラスチックフィルム若しくはプラスチック板を該取り出し用窓孔から取り出すようにしたものである。プラスチック板を用いる場合には、取り出しの際にプラスチック板が取り出し用窓孔に引っ掛かって変形し、金箔細片が剥離しないように、取り出し用窓孔の形状をプラスチック板とほぼ同形状とすることが望ましい。
【００１９】
また、本発明の別の構成は、パッケージの構造を、表面板と、底板と、取り出し用窓孔を穿設した抑え板とを折り線を介して連続形成したパッケージ本体の抑え板の取り出し用窓孔に臨ませて金箔細片を静電気により付着したプラスチックフィルム若しくはプラスチック板を適数組抑え板に載置し、抑え板の両側に延設した抑え片を金箔と前記プラスチックフィルム若しくはプラスチック板の上方に折り返すと共に底板の両側に延設した掛止片を内方に折り返して抑え板の下方に延設した挿入片を屈曲して前記掛止片の内方に差し込み、表面板を折り返して抑え板の取り出し用窓孔を被覆するようにしたものである。
【００２０】
また、本発明の別の構成は、表面板と、底板と、取り出し用窓孔を穿設した抑え板とを折り線を介して連続形成したパッケージ本体の抑え板の取り出し用窓孔に臨ませて金箔細片を静電気により付着したプラスチックフィルム若しくはプラスチック板を適数組抑え板に載置し、抑え板の両側に延設した抑え片を金箔とプラスチックフィルム若しくはプラスチック板の上方に折り返すと共に、底板の両側に延設した掛止片を内方に折り返し、抑え板の下方に延設した挿入片を屈曲して前記掛止片の内方に差し込み、抑え板の取り出し用窓孔に前記プラスチックフィルム若しくはプラスチック板を止着させる保持部を有する取り出し片を挿入係止し、表面板を折り返して抑え板の取り出し用窓孔を被覆するようにしたものである。
【００２１】
本発明は、二四金箔、金９８．９１２％、銀０．４９５％、銅０．５９３％の金箔五毛、金９７．６６６％、銀１．３５７％、銅０．９７７％の金箔一号色、金９６．７２１％、銀２．６０２％、銅０．６７７％の金箔二号色、金９５．７９５％、銀３．５３５％、銅０．６７０％の金箔三号色、金９４．４３８％、銀４．９０１％、銅０．６６１％の金箔四号色、金９０．４９８％、銀９．０５０％、銅０．４５２％の金箔梅色、金９４．４４％と銀５．５６％のひぬき箔、金７５．５３４％、銀２４．４６６％の金箔三歩色、金５８．８２４％、銀４１．１７６％の金箔定色、金９９．０％とプラチナ１％の合金箔、その他、すべての種類の金箔について実施可能であるが、皮膚の健康保持のような美容の分野で本発明を実施する場合には、皮膚に接するものであるから、金の成分比が高く銀銅の成分比の低い、二四金箔、金箔五毛、金箔一号色乃至金箔四号色、金９４．４４％と銀５．５６％のひぬき箔、金９９．００％とプラチナ１．００％の合金箔のいずれかであることが望ましい。金箔の規格寸法は、上記の通り、８．５ｃｍ角、１０．０ｃｍ角、１０．９ｃｍ角、１１．５ｃｍ角、１２．７ｃｍ角、１５．８ｃｍ角、２１．８ｃｍ角であるが、本発明は、付着面が皮膚のように凹凸に富むことを考慮して、皮膚等の付着面へのフィット性を向上するため、これらの金箔を二〜九分割して細分化した金箔細片を用いる。尚、上記した配合比は、純度９９．９９％の金を、純度１００％と見做して算出してある。
【００２２】
本発明は、プラスチックの帯電性を利用して金箔細片をプラスチックフィルム若しくはプラスチック板に静電気で疑似接着するものである。一般に、疑似接着は粘着剤や接着剤を使用する方法によるが、そうすると微量であっても粘着剤や接着剤が金箔細片表面に残留することになり、それが肌に悪影響を及ぼすおそれがあるばかりでなく、肌への付着性が悪化するばかりか、金箔細片が破損して肌に付着するおそれが大きくなるので望ましくない。また、プラスチックフィルム若しくはプラスチック板の帯電性が強いと、上記の通り金箔細片は極めて薄く、極めて軽いものであるから、プラスチックフィルム若しくはプラスチック板への付着力が大きくなりすぎて肌への付着性が悪化する。これを避けるためには、金箔細片をプラスチックフィルム若しくはプラスチック板に静電気で疑似接着する前に、プラスチックフィルム若しくはプラスチック板に帯電した静電気を適宜除去し、金箔細片の肌への付着性を良好なものとすることが望ましい。
【００２３】
また、本発明の実施に際し、取り出し片は、保持部によってプラスチックフィルム若しくはプラスチック板を止着して取り出すときに、プラスチックフィルム若しくはプラスチック板を裏打ちしてプラスチックフィルム若しくはプラスチック板の屈曲その他の変形を防止し、プラスチックフィルム若しくはプラスチック板の屈曲その他の変形による金箔細片の破損や剥離を防止するものであることが望ましい。そのため、取り出し片は変形しにくいようにある程度の剛性があることが望ましいし、取り出し片の寸法、形状をプラスチックフィルム若しくはプラスチック板の寸法、形状にある程度近似させることが望ましい。取り出し片の材質としては、紙、ポリエチレン樹脂その他のプラスチック等、種々のものを用いることができる。使い勝手を考慮すると、完全に透明なものはあまり良くないので、部分的に、或いは、全面的に不透明或いは半透明とすることが望ましい。また、取り出し片には一側に摘みを形成しておくと便宜である。そして、取り出し片の保持部は、パッケージに収納したプラスチックフィルム若しくはプラスチック板をすべて取り出せるようにするため、プラスチックフィルム若しくはプラスチック板を疑似接着する粘着剤を中心部だけに塗布して形成することが望ましい。
【００２４】
尚、合紙を使用した場合、取り出し片は合紙を取り出すのにも用いることができるものであることが望ましい。
【００２５】
また、本発明において、合紙は、主に、金箔細片に塵や埃が付着するのを防止すると共に金箔細片を静電気により付着したプラスチックフィルム若しくはプラスチック板を複数枚積み重ねた際に下層の金箔細片が直上のプラスチックフィルム若しくはプラスチック板に静電気により付着するのを防止するために使用される。したがって、金箔細片を静電気により付着したプラスチックフィルム若しくはプラスチック板を複数枚積み重ねた際には、それぞれの金箔細片の下でプラスチックフィルム若しくはプラスチック板の上、パッケージの底板の上、及び、最上段のプラスチックフィルム若しくはプラスチック板の上に配置することが望ましい。本発明の実施に際し、合紙の材質としては、金箔の仕切りとして用いられている切紙に使用されているような和紙が望ましい。合紙を使用しない場合には、顔面等に付着しても肌に悪影響を及ぼすおそれがない化粧用パウダーをプラスチックフィルム若しくはプラスチック板の上面に塗布する等して下層の金箔細片が直上のプラスチックフィルム若しくはプラスチック板に静電気により付着するのを防止することが望ましい。
【００２６】
そして、本発明において、合紙、プラスチックフィルム若しくはプラスチック板を取り出すための取り出し用窓孔は、取り出しの際にその摩擦抵抗でプラスチックフィルム若しくはプラスチック板から金箔細片が剥離しない程度にプラスチックフィルム若しくはプラスチック板や合紙の四隅が多少引っ掛かるような形態、例えば、開口面積を大きく取った六角形、同じくプラスチックフィルムや合紙の四隅が多少引っ掛かる楕円形その他の長円形が望ましい。
【００２７】
そして、本発明において、取り出し用窓孔は、プラスチックフィルムを用いた場合には、取り出しの際にその摩擦抵抗でプラスチックフィルムから金箔細片が剥離しない程度にプラスチックフィルムの四隅が多少引っ掛かるような形態、例えば、開口面積を大きく取った六角形、同じくプラスチックフィルムの四隅が多少引っ掛かる楕円形その他の長円形が望ましく、プラスチック板を用いた場合には、引っ掛かりによる摩擦抵抗等で金箔細片の剥離が生じやすいので、プラスチック板とほとんど同形とすることが望ましい。
【００２８】
本発明の実施に際し、金箔細片の形状は、金箔の規格寸法との関係から、正方形又は長方形とするのが有利であるが、三角形、５角以上の多角形、円形、長円形その他所望の形状を選択することができるし、金箔細片が静電気により付着するプラスチックフィルム若しくはプラスチック板の形状も、所望の形状を選択することができることはいうまでもない。
【発明の効果】
【００２９】
本発明は上記の通りの構成であるから、誰であっても、破断、損傷することなく、また、浮遊してしまうこともなく、金箔細片をプラスチックフィルム若しくはプラスチック板によって所望の場所まで容易に持っていき、さらに、プラスチックフィルム若しくはプラスチック板を所望の場所にあてがうことにより、金箔細片を所望の場所に容易に付着させることができる。美容に用いる場合には顔面や手指にクリーム類が塗布してあれば金箔細片は破断、損傷することなく顔面や手指に付着するし、工芸品の加飾に用いる場合には金箔細片は破断、損傷することなく工芸品に塗布した接着剤に付着する。その際、手指が濡れていたり、或いは、手指に化粧品が付着していても何の不都合もない。
【００３０】
そして、本発明によれば、任意枚数の金箔細片を破断、損傷することなしに収納することができると共に、誰であっても収納した金箔細片一枚一枚を破断、損傷することなしに取り出して所望の場所まで容易に持っていき、所望の場所に容易に付着させることができる。
【００３１】
また、本発明によれば、金箔細片を外気に直接さらさずに所望枚数収納することができ、従って、金箔細片に塵や埃が付着することもなく、美麗に金箔細片を収納保存することができる。
【００３２】
しかも、本発明によれば、任意枚数の金箔細片を簡単な折り畳み作業で収納することができ、かつ、構造が簡易な金箔のパッケージを提供することができる等の優れた効果が期待できる。
【発明を実施するための最良の形態】
【００３３】
以下、本発明の実施例を図面を参照して説明する。
【００３４】
図例は、図１に示したパッケージ本体１と、図２に示したパッケージ本体１に係止される取り出し片１２と、図３に示したパッケージ本体１に収納されるプラスチックフィルム１５とプラスチックフィルム１５に静電気で付着した金箔細片１６、及び、合紙１７とから構成されている。
【００３５】
パッケージ本体１を図１及び図４を参照して説明すると、パッケージ本体１は厚紙製で、折り線２を介して表面板３と、底板４と、取り出し用窓孔５を穿設した抑え板６が連続形成されている。抑え板６の両側には折り線２を介して抑え片７が延設されており、抑え板６の下方には挿入片８が延設されている。また、底板４の両側には折り線２を介して掛止片９が延設されている。そして、表面板３の上方には舌片１０が延設されており、抑え板６の下部には表面板１２の舌片１０を挿入するスリット１１が形成されている。抑え板６に穿設した取り出し用窓孔５は、後記するプラスチックフィルム１５の取り出しの際に該プラスチックフィルム１５の四隅部が僅かに接触するように、開口面積を大きく取った六角形である。
【００３６】
図３のａに示した通り、プラスチックフィルム１５は、可撓性のあるポリエチレン樹脂製フィルムであって、静電気により止着する金箔細片１６と同形に形成されている。金箔細片１６は、１０．９ｃｍ角の金箔を六分割したものである。金箔細片１６を静電気により止着したプラスチックフィルム１５は、プラスチックフィルム１５を上、金箔細片１６を下として図例にあっては６枚積み重ねられている。上段のプラスチックフィルム１５に静電気により止着した金箔細片１６と次段のプラスチックフィルム１５の間にはそれぞれ合紙１７が介在しており、さらに、最上段のプラスチックフィルム１５の上面、及び、最下段の金箔細片１６の下面にも合紙１７が配置されている。プラスチックフィルム１５と金箔細片１６の間の合紙１７は金箔細片１６が静電気によって直下のプラスチックフィルム１５に付着するのを防止するために介在し、最上段のプラスチックフィルム１５の上面の合紙１７はプラスチックフィルム１５に塵や埃が付着することを防止すると共に前記抑え片７によって金箔細片１６が破損されるのを防止するために配置され、最下段の金箔細片１６の下面の合紙１７はパッケージ本体１の底板４から金箔細片１６に塵や埃が付着することを防止するために配置される。
【００３７】
プラスチックフィルム１５は、透明度が高いと金箔細片１６の美麗な外観が透視できる反面、注意しないと、金箔細片１６の付着している側と付着していない側の見分けがつきにくいので、図例にあっては、半透明としてある。
【００３８】
金箔細片１６の肌等の付着面への持ち運びの利便性と、金箔細片１６の付着作業の利便性は、金箔細片１６のプラスチックフィルム１５への静電気による付着力を大きければ高い。また、金箔細片１６が周囲の物と接触する機会が少なければ、金箔細片１６が持ち運びから付着作業終了までに損傷したり、遊離したりするおそれは少なくなる。このため、図３のｂに示した通り、プラスチックフィルム１５の外形寸法を金箔細片１６の外形寸法よりも大きく形成し、静電気により付着する金箔細片１６の上下方向のいずれか一方若しくは双方、又は（及び）左右方向のいずれか一方若しくは双方より張り出すようにすることが望ましい。
【００３９】
パッケージ本体１に係止される取り出し片１２は、図２に示した如く、弾力性に富む塩化ビニル樹脂製であって、一側に摘み１３を一体に突設し、合紙１７、プラスチックフィルム１５を疑似接着する粘着剤を中心部だけに塗布して保持部１４を形成してある。取り出し片１２は、保持部１４に合紙１７、プラスチックフィルム１５を疑似接着してパッケージ本体１より取り出すだけでなく、プラスチックフィルム１５に静電気で疑似接着した金箔細片１６を所望の場所、例えば頬、まで運ぶ手段も兼ねている。取り出し片１２により取り出されたプラスチックフィルム１５と金箔細片１６は、プラスチックフィルム１５を下に金箔細片１６を上にした状態で所望の場所まで運ばれる。取り出し片１２は、この状態でプラスチックフィルム１５の裏側にあってプラスチックフィルム１５のほとんどを裏打ちする形状としてあり、所望の場所まで運ぶ間に、可撓体であるプラスチックフィルム１５の撓み等の屈曲その他の変形、及び屈曲その他の変形による金箔細片１６の破損や剥離を防止している。
【００４０】
次に、図４を参照して、上記図例のパッケージの組立を説明する。
【００４１】
パッケージ本体１を裏返し、抑え板６上の取り出し用窓孔５に臨ませて、その上に、合紙１７、金箔細片１６を静電気により止着したプラスチックフィルム１５の順で、プラスチックフィルム１５を６組積み重ね、最後に合紙１７をプラスチックフィルム１５に静電気により止着された金箔細片１６の上に合紙１７を重ねる。次に、抑え板６の両側に延設された抑え片７を折り線２により合紙１７の上方に折り返すと共に、底板４の両側に延設された掛止片９を折り線２により底板４の上方に折り返す（図４ａ参照）。続いて、抑え板６を折り線２により底板４の上方に折り返すと共に抑え板６の下方に延設された挿入片８を屈曲し、折り返された前記掛止片９の内側に挿入掛止する（図４ｂ参照）。最後に、取り出し片１２を保持部１４を外向きの状態で取り出し用窓孔５に挿入係止し、表面板３を折り線２により抑え板６の上方に折り返し、表面板３の上方に延設された舌片１０を抑え板６の下部に形成されたスリット１１に挿入する（図４ｃ、図４ｄ参照）。
【００４２】
図５を参照して、上記図例のパッケージの使用を説明する。
【００４３】
上記図例のパッケージの使用は、舌片１０をスリット１１から引き出して表面板３を折り線２によって折り曲げて取り出し用窓孔５を露出させ、取り出し片１２を手指で摘んで取り出す（図５ａ参照）。そして、保持部１４が下向きになるように摘み１３を手指で摘み、取り出し片１２の保持部１４を最上段の合紙１７に当てる。最上段の合紙１７は取り出し片１２の保持部１４に疑似接着するので、上方に引いて合紙１７を取り除く。続いて、取り出し片１２の保持部１４に疑似接着した合紙１７を保持部１４から外し、取り出し片１２の保持部１４をプラスチックフィルム１５に当てると、プラスチックフィルム１５は取り出し片１２の保持部１４に疑似接着する。取り出し片１２を上方に引くと、プラスチックフィルム１５とプラスチックフィルム１５に静電気により止着された金箔細片１６が一体となって取り出し用窓孔５から取り出される（図５ｂ参照）。そのまま、プラスチックフィルム１５を下側、金箔細片１６を上側にして所望の場所まで運び、所望の場所、例えば、顔面の頬等に金箔細片１６を破断、損傷することなしに当てることができる。このとき、プラスチックフィルム１５は可撓体であるから、誰でもしごく容易に、頬等の曲面にフィットさせることができる。そして、頬等にクリーム類が塗布されていれば、金箔細片１６はそのままの状態で頬等に止着する。そこで、頬等をマッサージすれば、金箔細片１６は皮膚表面に擦り込まれ、金の微粒子が生体内に取り込まれ、生体における新陳代謝およびエネルギー変換を促進し、シワの除去その他、皮膚の健康を保持することができる。
【００４４】
この金箔パッケージを続けて使用する場合は、取り出し片１２で合紙１７を取り除き、金箔細片１６を静電気で止着したプラスチックフィルム１５を取り出して、同様に、所望の場所まで運び、所望の場所に止着する。図例にあっては、取り出し片１２は、金箔パッケージ内のプラスチックフィルム１５をすべて取り出し、すべての金箔細片１６を所望の場所に付着させ終わるまで反復使用される。
【００４５】
エステティクサロンのように多量の金箔を消費する場所においては、上記した図４、図５に示したような容器では、金箔細片の肌等の付着面への持ち運びの利便性が乏しい場合がある。そのようなときには、図６に示したように、プラスチックフィルム１５と合紙１７の形状に対応する内径の上方が開口する容器に、金箔細片１６を静電気で止着したプラスチックフィルム１５と合紙１７を所望枚数交互に積み重ねた状態で収納する。この容器の、前方に切欠きを設けると、残量が目視できるので有利である。また、積み重ねたプラスチックフィルム１５と合紙１７を置く底板を縮装したスプリングで押圧するようにすれば、金箔細片１６を静電気で止着したプラスチックフィルム１５の取り出し作業に便宜である。
【００４６】
尚、図例は、金箔細片１６をプラスチックフィルム１５に付着させるようにしたものであるが、本発明の実施は、弾性変形するプラスチック板を採択し、これに金箔細片１６を静電気により止着することによっても可能である。
【図面の簡単な説明】
【００４７】
【図１】本発明の金箔パッケージの実施の一例の展開裏面図である。
【図２】図１の金箔パッケージに収納される取り出し片の平面図である。
【図３】ａは図１の金箔パッケージに収納される金箔細片を静電気により止着したプラスチックフィルム、及び、合紙の斜視図、ｂは金箔細片の外径寸法より一回り大きいプラスチックフィルムを使用した別の例の斜視図である。
【図４】図１の金箔パッケージの組立過程を示すもので、ａは合紙、金箔細片を静電気により止着したプラスチックフィルムを抑え板に載置し、抑え板の両側の抑え片を折り返すと共に、底板の両側の掛止片を折り返した状態の平面図、ｂはａの状態から抑え板の下方の挿入片を屈曲して前記掛止片の内方に差し込む状態の説明図、ｃはｂの状態から取り出し片を挿入係止し、表面板を折り返して抑え板の取り出し用窓孔を被覆する作業の説明図、ｄは組立てられた金箔パッケージの平面図である。
【図５】図１の金箔パッケージの使用状態を示す斜視図であって、ａは取り出し片で合紙を取り出す状態を示す斜視図、ｂは合紙を取り出し後に金箔細片を静電気により止着したプラスチックフィルムを取り出し片で取り出す状態を示す斜視図である。
【図６】図４及び図５と異なるの金箔パッケージの斜視図である。
【符号の説明】
【００４８】
１    パッケージ本体
２    折り線
３    表面板
４    底板
５    取り出し用窓孔
６    抑え板
７    抑え片
８    挿入片
９    掛止片
１０    舌片
１１    スリット
１２    取り出し片
１３    摘み
１４    保持部
１５    プラスチックフィルム
１６    金箔細片
１７    合紙      
【図１】
2007302342.tif 000003
【図２】
2007302342.tif 000004
【図３】
2007302342.tif 000005
【図４】
2007302342.tif 000006
【図５】
2007302342.tif 000007
【図６】
2007302342.tif 000008